【手続補正書】
【提出日】平成17年2月22日(2005.2.22)
【手続補正１】
【補正対象書類名】明細書
【補正対象項目名】請求項３４
【補正方法】変更
【補正の内容】
【請求項３４】
請求項３１に記載のデータ受信装置において、
前記音声データのデータサンプリング周波数が３２ｋＨｚ、あるいは４８ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、
前記分周パラメータＮ（Ｎは整数）は、前記ピクセルクロックを分周パラメータＮで分周した位相比較クロックの周波数が、１０００Ｈｚに最も近い周波数となるように決定されるものである、
ことを特徴とするデータ受信装置。
【手続補正２】
【補正対象書類名】明細書
【補正対象項目名】請求項３５
【補正方法】変更
【補正の内容】
【請求項３５】
請求項３１に記載のデータ受信装置において、
前記音声データのデータサンプリング周波数が４４．１ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、
前記分周パラメータＮ（Ｎは整数）は、前記ピクセルクロックを分周パラメータＮで分周した位相比較クロックの周波数が、９００Ｈｚに最も近い周波数となるように決定されるものである、
ことを特徴とするデータ受信装置。
【手続補正３】
【補正対象書類名】明細書
【補正対象項目名】００４２
【補正方法】変更
【補正の内容】
【００４２】
また、本発明（請求項３４）に係るデータ受信装置は、請求項３１に記載のデータ受信装置において、前記音声データのデータサンプリング周波数が３２ｋＨｚ、あるいは４８ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、１０００Ｈｚに最も近い周波数となるように決定されるものである。
【手続補正４】
【補正対象書類名】明細書
【補正対象項目名】００４３
【補正方法】変更
【補正の内容】
【００４３】
また、本発明（請求項３５）に係るデータ受信装置は、請求項３１に記載のデータ受信装置において、前記音声データのデータサンプリング周波数が４４．１ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、９００Ｈｚに最も近い周波数となるように決定されるものである。
【手続補正５】
【補正対象書類名】明細書
【補正対象項目名】００７３
【補正方法】変更
【補正の内容】
【００７３】
ここで、図８〜図２６を用いて、各種ピクセルクロック、各種オーディオデータのサンプリング周波数における、前記２式を満たした分周パラメータＮの値と、その際のカウント値ＣＴＳ、及び位相比較クロックｓ５０５の周波数（ｋＨｚ）を示す。
図８〜図２６は、各種ピクセルクロックが、２５．２／１．００１ＭＨｚ，２５．２ＭＨｚ，２７ＭＨｚ，２７．０×１．００１ＭＨｚ，５４ＭＨｚ，７４．２５／１．００１ＭＨｚ，７４．２５ＭＨｚ，１４８．５／１．００１ＭＨｚ，１４８．５ＭＨｚであり、各種オーディオデータのサンプリング周波数が３２ｋＨｚ，４４．１ｋＨｚ，４８ｋＨｚであるときに、それぞれとりえる分周パラメータＮと、カウント値ＣＴＳと、位相比較クロックの周波数ｒｅｆ（Ｈｚ）の値を示す図である。なお、図８〜図２６で示される分周パラメータＮは、オーディオクロックが、オーディオデータのサンプリング周波数の１２８倍のクロックである場合の値である。
【手続補正６】
【補正対象書類名】明細書
【補正対象項目名】００８２
【補正方法】変更
【補正の内容】
【００８２】
さらに、前述の説明においては、ピクセルクロックが、２５．２／１．００１ＭＨｚ、２５．２ＭＨｚ、２７ＭＨｚ、２７．０×１．００１ＭＨｚ、５４ＭＨｚ、７４．２５／１．００１ＭＨｚ、７４．２５ＭＨｚ、１４８．５／１．００１ＭＨｚ、１４８．５ＭＨｚの場合について、分周パラメータＮが取り得る具体的な値を挙げて説明したが、これら以外のピクセルクロックが本デジタルデータ伝送システムに入力される可能性もある。その場合、図２７及び図２８の“ｏｔｈｅｒｓ”の段に示す分周パラメータを使用するようにする。この“ｏｔｈｅｒｓ”にかかれた分周パラメータＮの値は、各オーディオデータサンプリング周波数毎に示された、推奨パラメータである分周パラメータＮのうち、共通性の高い値（例えば、オーディオデータサンプリング周波数が３２ｋＨｚの場合は、分周パラメータＮ＝４０９６、オーディオデータサンプリング周波数が４４．１ｋＨｚの場合は、分周パラメータＮ＝６２７２）である。このようにすれば、本デジタルデータ伝送システムにおいて、前記以外のピクセルクロックが入力された場合であっても、ジッタの発生を抑制し、高品質なオーディオデータを生成することができ、また、回路設計が簡単になり、装置コストを削減できる。
【手続補正７】
【補正対象書類名】明細書
【補正対象項目名】００９５
【補正方法】変更
【補正の内容】
【００９５】
また、本発明（請求項３４）によれば、請求項３１に記載のデータ受信装置において、前記音声データのデータサンプリング周波数が３２ｋＨｚ、あるいは４８ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、１０００Ｈｚに最も近い周波数となるように決定されるものであるようにしたので、上述のピクセルクロック以外のピクセルクロックが入力されても、受信側にて同期性を維持したオーディオクロックを作成することができ、さらに、データ受信装置の回路設計を簡単にして、装置作成のコストを削減することができる。
【手続補正８】
【補正対象書類名】明細書
【補正対象項目名】００９６
【補正方法】変更
【補正の内容】
【００９６】
また、本発明（請求項３５）によれば、請求項３１に記載のデータ受信装置において、前記音声データのデータサンプリング周波数が４４．１ｋＨｚで、且つ、前記ピクセルクロックが、２５．２／１．００１ＭＨｚ、２５．２ＭＨｚ、２７．０００ＭＨｚ、２７．０×１．００１ＭＨｚ、５４．０００ＭＨｚ、７４．２５／１．００１ＭＨｚ、７４．２５ＭＨｚ、１４８．５／１．００１ＭＨｚ、及び１４８．５ＭＨｚ以外である場合、前記分周パラメータＮ（Ｎは整数）は、前記ピクセルクロックを分周パラメータＮで分周した位相比較クロックの周波数が、９００Ｈｚに最も近い周波数となるように決定されるものであるようにしたので、上述のピクセルクロック以外のピクセルクロックが入力されても、受信側にて同期性を維持したオーディオクロックを作成することができ、さらに、データ受信装置の回路設計を簡単にして、装置作成のコストを削減することができる。